(57)【要約】【課題】Ｄ２Ｄ端末に対してサーバ装置から情報を伝達する際の確実性や即時性を実現することに寄与する。【解決手段】機器間で通信するＤ２Ｄ通信機能を有する複数の端末装置１２，１４−１〜３と、前記端末装置１２，１４−１〜３と無線通信する基地局装置１０とを有する通信システム１であり、前記複数の端末装置１２，１４−１〜３のうち代表端末装置１２が、前記基地局装置１０から前記複数の端末装置１２，１４−１〜３へ向けたページング信号１０１に対する自己の配下の端末装置１４−１〜３からの処理完了応答信号１０３をまとめて前記基地局装置へ送信する。【選択図】図１
2015220550.tif 000002
【特許請求の範囲】
【請求項１】
機器間で通信するＤ２Ｄ通信機能を有する複数の端末装置と、前記端末装置と無線通信する基地局装置とを有する通信システムであり、
前記複数の端末装置のうち代表端末装置が、前記基地局装置から前記複数の端末装置へ向けた信号に対する自己の配下の端末装置からの応答をまとめて前記基地局装置へ送信する、
ことを特徴とする通信システム。
【請求項２】
前記基地局装置は前記代表端末装置のみへ前記信号を送信し、
前記代表端末装置は前記基地局装置から受信した前記信号をＤ２Ｄ通信により前記配下の端末装置へ送信する、
ことを特徴とする請求項１に記載の通信システム。
【請求項３】
前記基地局装置は前記複数の端末装置の各々へマルチキャストにより前記信号を送信することを特徴とする請求項１に記載の通信システム。
【請求項４】
前記基地局装置に接続されるサーバ装置と前記端末装置とを接続する通信回線を前記基地局装置とは異なる経路で設け、
前記サーバ装置から前記基地局装置を経由して前記端末装置に向けて送信された要求メッセージに対する前記端末装置からの前記サーバ装置への応答方法として、前記基地局装置を経由する応答方法と、前記通信回線を経由する応答方法とのうちから、いずれかを指定する情報、又は、いずれかを選択するときの優先度を示す情報、を前記基地局装置から送信される前記信号に含める、
ことを特徴とする請求項１から３のいずれか１項に記載の通信システム。
【請求項５】
前記代表端末装置は、所定周期で前記端末装置に対する応答確認を行い、応答確認できた前記端末装置を端末リストに登録し、応答確認できなかった前記端末装置を前記端末リストから削除する、
ことを特徴とする請求項１から４のいずれか１項に記載の通信システム。
【請求項６】
前記基地局装置から送信される信号の前記端末装置での受信品質に基づいて、前記複数の端末装置の中から前記代表端末装置が決定されたことを特徴とする請求項１から５のいずれか１項に記載の通信システム。
【請求項７】
前記端末装置間のＤ２Ｄ通信の受信品質に基づいて、前記複数の端末装置の中から前記代表端末装置が決定されたことを特徴とする請求項１から５のいずれか１項に記載の通信システム。
【請求項８】
機器間で通信するＤ２Ｄ通信機能を有する複数の端末装置と、前記端末装置と無線通信する基地局装置とを有する通信システムにおける前記端末装置であり、
代表端末装置として動作し、前記基地局装置から前記複数の端末装置へ向けた信号に対する自己の配下の端末装置からの応答をまとめて前記基地局装置へ送信する、
ことを特徴とする端末装置。
【請求項９】
機器間で通信するＤ２Ｄ通信機能を有する複数の端末装置と、前記端末装置と無線通信する基地局装置とを有する通信システムにおける前記端末装置であり、
前記複数の端末装置のうち代表端末装置に対して、前記基地局装置から前記複数の端末装置へ向けた信号に対する自己の応答を送信する、
ことを特徴とする端末装置。
【請求項１０】
機器間で通信するＤ２Ｄ通信機能を有する複数の端末装置と、前記端末装置と無線通信する基地局装置とを有する通信システムの通信方法であり、
前記複数の端末装置のうち代表端末装置が、前記基地局装置から前記複数の端末装置へ向けた信号に対する自己の配下の端末装置からの応答をまとめて前記基地局装置へ送信する、
ことを特徴とする通信方法。
【請求項１１】
機器間で通信するＤ２Ｄ通信機能を有する複数の端末装置と、前記端末装置と無線通信する基地局装置とを有する通信システムにおける代表端末装置として動作する前記端末装置のコンピュータに、
前記基地局装置から前記複数の端末装置へ向けた信号に対する自己の配下の端末装置からの応答をまとめて前記基地局装置へ送信するステップ、
を実行させるためのコンピュータプログラム。
【請求項１２】
機器間で通信するＤ２Ｄ通信機能を有する複数の端末装置と、前記端末装置と無線通信する基地局装置とを有する通信システムにおける前記端末装置のコンピュータに、
前記複数の端末装置のうち代表端末装置に対して、前記基地局装置から前記複数の端末装置へ向けた信号に対する自己の応答を送信するステップ、
を実行させるためのコンピュータプログラム。
【発明の詳細な説明】
【技術分野】
【０００１】
本発明は、通信システム、端末装置、通信方法及びコンピュータプログラムに関する。
【背景技術】
【０００２】
従来、マルチキャスト通信システム（例えば、非特許文献１参照）やＥＴＷＳ（Earthquake and Tsunami Warning System）（例えば、非特許文献２参照）によって、緊急時に利用者の端末へ情報を通知することが検討されている。
【先行技術文献】
【非特許文献】
【０００３】
【非特許文献１】3GPP (3rd Generation Partnership Project)、TS36.331、“Evolved Universal Terrestrial Radio Access (E-UTRA); Radio Resource Control (RRC); Protocol specification”、 v11.5.0、 Sep. 2013
【非特許文献２】3GPP (3rd Generation Partnership Project)、 TR 23.828、“Earthquake and Tsunami Warning System (ETWS) Requirements and Solutions; Solution Placeholder”、 V8.0.0、 Sep. 2008
【発明の概要】
【発明が解決しようとする課題】
【０００４】
しかし、上述した従来のシステムでは、機器間で通信するＤ２Ｄ（Device to Device）通信機能を有するＤ２Ｄ端末に対して、緊急時に情報を送信するサーバ装置から情報を伝達する際に、確実性や即時性を実現することが難しいという課題がある。例えば、上述したマルチキャスト通信システムやＥＴＷＳでは、端末からのフィードバックが得られないために信頼性が低い。また、多数の端末に対して短時間で確実に情報を伝達するには、サーバ装置や端末とサーバ装置間の中継を行う基地局装置に対するアクセスの負荷が大きくなり、実現が難しい。
【０００５】
本発明は、このような事情を考慮してなされたものであり、Ｄ２Ｄ端末に対してサーバ装置から情報を伝達する際の確実性や即時性を実現することに寄与できる、通信システム、端末装置、通信方法及びコンピュータプログラムを提供することを課題とする。
【課題を解決するための手段】
【０００６】
（１）本発明に係る通信システムは、機器間で通信するＤ２Ｄ通信機能を有する複数の端末装置と、前記端末装置と無線通信する基地局装置とを有する通信システムであり、前記複数の端末装置のうち代表端末装置が、前記基地局装置から前記複数の端末装置へ向けた信号に対する自己の配下の端末装置からの応答をまとめて前記基地局装置へ送信する、ことを特徴とする。
（２）本発明に係る通信システムは、上記（１）の通信システムにおいて、前記基地局装置は前記代表端末装置のみへ前記信号を送信し、前記代表端末装置は前記基地局装置から受信した前記信号をＤ２Ｄ通信により前記配下の端末装置へ送信する、ことを特徴とする。
（３）本発明に係る通信システムは、上記（１）の通信システムにおいて、前記基地局装置は前記複数の端末装置の各々へマルチキャストにより前記信号を送信することを特徴とする。
（４）本発明に係る通信システムは、上記（１）から（３）のいずれかの通信システムにおいて、前記基地局装置に接続されるサーバ装置と前記端末装置とを接続する通信回線を前記基地局装置とは異なる経路で設け、前記サーバ装置から前記基地局装置を経由して前記端末装置に向けて送信された要求メッセージに対する前記端末装置からの前記サーバ装置への応答方法として、前記基地局装置を経由する応答方法と、前記通信回線を経由する応答方法とのうちから、いずれかを指定する情報、又は、いずれかを選択するときの優先度を示す情報、を前記基地局装置から送信される前記信号に含める、ことを特徴とする。
（５）本発明に係る通信システムは、上記（１）から（４）のいずれかの通信システムにおいて、前記代表端末装置は、所定周期で前記端末装置に対する応答確認を行い、応答確認できた前記端末装置を端末リストに登録し、応答確認できなかった前記端末装置を前記端末リストから削除する、ことを特徴とする。
（６）本発明に係る通信システムは、上記（１）から（５）のいずれかの通信システムにおいて、前記基地局装置から送信される信号の前記端末装置での受信品質に基づいて、前記複数の端末装置の中から前記代表端末装置が決定されたことを特徴とする。
（７）本発明に係る通信システムは、上記（１）から（５）のいずれかの通信システムにおいて、前記端末装置間のＤ２Ｄ通信の受信品質に基づいて、前記複数の端末装置の中から前記代表端末装置が決定されたことを特徴とする。
【０００７】
（８）本発明に係る端末装置は、
機器間で通信するＤ２Ｄ通信機能を有する複数の端末装置と、前記端末装置と無線通信する基地局装置とを有する通信システムにおける前記端末装置であり、代表端末装置として動作し、前記基地局装置から前記複数の端末装置へ向けた信号に対する自己の配下の端末装置からの応答をまとめて前記基地局装置へ送信する、ことを特徴とする。
（９）本発明に係る端末装置は、機器間で通信するＤ２Ｄ通信機能を有する複数の端末装置と、前記端末装置と無線通信する基地局装置とを有する通信システムにおける前記端末装置であり、前記複数の端末装置のうち代表端末装置に対して、前記基地局装置から前記複数の端末装置へ向けた信号に対する自己の応答を送信する、ことを特徴とする。
【０００８】
（１０）本発明に係る通信方法は、機器間で通信するＤ２Ｄ通信機能を有する複数の端末装置と、前記端末装置と無線通信する基地局装置とを有する通信システムの通信方法であり、前記複数の端末装置のうち代表端末装置が、前記基地局装置から前記複数の端末装置へ向けた信号に対する自己の配下の端末装置からの応答をまとめて前記基地局装置へ送信する、ことを特徴とする。
【０００９】
（１１）本発明に係るコンピュータプログラムは、機器間で通信するＤ２Ｄ通信機能を有する複数の端末装置と、前記端末装置と無線通信する基地局装置とを有する通信システムにおける代表端末装置として動作する前記端末装置のコンピュータに、前記基地局装置から前記複数の端末装置へ向けた信号に対する自己の配下の端末装置からの応答をまとめて前記基地局装置へ送信するステップ、を実行させるためのコンピュータプログラムであることを特徴とする。
（１２）本発明に係るコンピュータプログラムは、機器間で通信するＤ２Ｄ通信機能を有する複数の端末装置と、前記端末装置と無線通信する基地局装置とを有する通信システムにおける前記端末装置のコンピュータに、前記複数の端末装置のうち代表端末装置に対して、前記基地局装置から前記複数の端末装置へ向けた信号に対する自己の応答を送信するステップ、を実行させるためのコンピュータプログラムであることを特徴とする。
【発明の効果】
【００１０】
本発明によれば、Ｄ２Ｄ端末に対してサーバ装置から情報を伝達する際の確実性や即時性を実現することに寄与できるという効果が得られる。
【図面の簡単な説明】
【００１１】
【図１】本発明の第１実施形態に係る通信システム１の概略構成図である。
【図２】本発明の第１実施形態に係る宅内代表Ｄ２Ｄ端末１２の構成例を示すブロック図である。
【図３】本発明の第１実施形態に係る宅内Ｄ２Ｄ端末１４の構成例を示すブロック図である。
【図４】本発明の第１実施形態に係る基地局１０の構成例を示すブロック図である。
【図５】本発明の第１実施形態に係る通信方法の手順を示すシーケンスチャートである。
【図６】本発明の第１実施形態に係る通信方法の手順を示すシーケンスチャートである。
【図７】本発明の第１実施形態に係る情報報知処理の手順を示すフローチャートである。
【図８】本発明の第１実施形態に係る情報応答処理の手順を示すフローチャートである。
【図９】本発明の第１実施形態の配下端末決定方法３に係る宅内代表Ｄ２Ｄ端末１２の処理手順を示すフローチャートである。
【図１０】本発明の第１実施形態の配下端末決定方法３に係る宅内代表Ｄ２Ｄ端末１２の処理手順を示すフローチャートである。
【図１１】本発明の第１実施形態の配下端末決定方法３に係る宅内Ｄ２Ｄ端末１４の処理手順を示すフローチャートである。
【図１２】本発明の第１実施形態の配下端末決定方法３に係る宅内Ｄ２Ｄ端末１４の処理手順を示すフローチャートである。
【図１３】本発明の第１実施形態の配下端末決定方法３に係る宅内Ｄ２Ｄ端末１４の処理手順を示すフローチャートである。
【図１４】本発明の第２実施形態に係る通信システム１の概略構成図である。
【図１５】本発明の第２実施形態に係る情報報知処理の手順を示すフローチャートである。
【図１６】本発明の第２実施形態に係る情報応答処理の手順を示すフローチャートである。
【発明を実施するための形態】
【００１２】
以下、図面を参照し、本発明の実施形態について説明する。
【００１３】
［第１実施形態］
はじめに本発明に係る一実施形態として第１実施形態を説明する。
図１は、本発明の第１実施形態に係る通信システム１の概略構成図である。図１において、通信システム１の利用者の自宅（以下、利用者宅と称する）３の宅内には、機器間で通信するＤ２Ｄ（Device to Device）通信機能を有するＤ２Ｄ端末装置（以下、Ｄ２Ｄ端末と称する）が複数（Ｄ２Ｄ端末１２，１４−１〜３）設けられている。各Ｄ２Ｄ端末１２，１４−１〜３は、相互に、Ｄ２Ｄ通信を行うことができる。Ｄ２Ｄ端末１２，１４−１〜３のうち、Ｄ２Ｄ端末１２は代表端末として動作する。以下、Ｄ２Ｄ端末１２のことを「宅内代表Ｄ２Ｄ端末１２」と称する。また、宅内代表Ｄ２Ｄ端末１２以外のＤ２Ｄ端末１４−１〜３のことを「宅内Ｄ２Ｄ端末１４−１〜３」と称する。なお、宅内Ｄ２Ｄ端末１４−１〜３のそれぞれを特に区別しないときは「宅内Ｄ２Ｄ端末１４」と称する。
【００１４】
宅内代表Ｄ２Ｄ端末１２及び宅内Ｄ２Ｄ端末１４は、基地局装置（以下、基地局と称する）１０と無線通信する。基地局１０は、宅内代表Ｄ２Ｄ端末１２に対して、ページング信号１０１を送信する。宅内代表Ｄ２Ｄ端末１２は、基地局１０から受信したページング信号１０１に基づいたページング情報１０２を、宅内Ｄ２Ｄ端末１４へ送信する。宅内Ｄ２Ｄ端末１４は、宅内代表Ｄ２Ｄ端末１２から受信したページング情報１０２に関する処理完了応答信号１０３を、宅内代表Ｄ２Ｄ端末１２へ送信する。ページング情報１０２及び処理完了応答信号１０３の伝達は、宅内代表Ｄ２Ｄ端末１２と宅内Ｄ２Ｄ端末１４の間で、端末間の直接通信（Device-to-device Communication；Ｄ２Ｄ）の通信チャネルを使用して行われる。
【００１５】
宅内代表Ｄ２Ｄ端末１２は、宅内Ｄ２Ｄ端末１４から個別に受信した処理完了応答信号１０３をまとめたものである処理完了応答信号１０４を、基地局１０へ送信する。
【００１６】
基地局１０には、緊急報知情報サーバ装置（以下、緊急報知情報サーバと称する）２が接続されている。緊急報知情報サーバ２は、緊急時に利用者の端末へ情報を伝達することを目的として設けられている。緊急報知情報サーバ２が緊急時に利用者の端末へ伝達したい緊急情報は、基地局１０を介してページング信号１０１により宅内代表Ｄ２Ｄ端末１２へ伝達され、さらに該宅内代表Ｄ２Ｄ端末１２からページング情報１０２により宅内Ｄ２Ｄ端末１４へ伝達される。そして、該緊急情報に関する宅内Ｄ２Ｄ端末１４からの応答情報は、処理完了応答信号１０３により宅内代表Ｄ２Ｄ端末１２へ伝達される。そして、宅内Ｄ２Ｄ端末１４からの個別の応答情報は、宅内代表Ｄ２Ｄ端末１２からまとめて処理完了応答信号１０４により基地局１０を介して緊急報知情報サーバ２へ伝達される。
【００１７】
利用者宅３には、光アクセス回線４が接続されている。光アクセス回線４は、利用者宅３と緊急報知情報サーバ２の間でデータを伝送する。宅内代表Ｄ２Ｄ端末１２及び宅内Ｄ２Ｄ端末１４の中には、光アクセス回線４に接続されているものがあってもよい。
【００１８】
図２は、本発明の第１実施形態に係る宅内代表Ｄ２Ｄ端末１２の構成例を示すブロック図である。図２において、宅内代表Ｄ２Ｄ端末１２は、無線通信部２１、制御部２２、記憶部２３、操作部２４、表示部２５及び通信部２６を備える。無線通信部２１、制御部２２、記憶部２３、操作部２４、表示部２５及び通信部２６は相互にデータを送受できるように接続されている。無線通信部２１は、基地局１０に無線接続し、基地局１０を介して他の装置と通信する。また、無線通信部２１は、他のＤ２Ｄ端末との間でＤ２Ｄ通信を行う。
【００１９】
制御部２２は自端末に係る動作の制御を行う。記憶部２３はデータを格納する。操作部２４は、利用者からの操作を受け付ける。表示部２５は表示画面上に情報の表示を行う。通信部２６は、自端末に光アクセス回線４が接続されている場合、光アクセス回線４を介して緊急報知情報サーバ２と通信する。
【００２０】
記憶部２３は、端末リスト２３１を記憶する。端末リスト２３１は、自己の宅内代表Ｄ２Ｄ端末１２の配下にある宅内Ｄ２Ｄ端末１４のリストである。
【００２１】
図３は、本発明の第１実施形態に係る宅内Ｄ２Ｄ端末１４の構成例を示すブロック図である。図３において、図２の各部に対応する部分には同一の符号を付している。図３に示される宅内Ｄ２Ｄ端末１４の構成は、図２に示される宅内代表Ｄ２Ｄ端末１２の構成と同様である。但し、宅内Ｄ２Ｄ端末１４の記憶部２３は、接続可能代表端末リスト２３２を記憶する。接続可能代表端末リスト２３２は、自己の宅内Ｄ２Ｄ端末１４が接続できる宅内代表Ｄ２Ｄ端末１２のリストである。
【００２２】
図４は、本発明の第１実施形態に係る基地局１０の構成例を示すブロック図である。図４において、基地局１０は、無線通信部５１、通信部５２、制御部５３及び記憶部５４を備える。無線通信部５１、通信部５２、制御部５３及び記憶部５４は相互にデータを送受できるように接続されている。無線通信部５１は宅内代表Ｄ２Ｄ端末１２及び宅内Ｄ２Ｄ端末１４と無線通信する。通信部５２は、バックボーンネットワークを介して他の装置と通信する。例えば、通信部５２は、緊急報知情報サーバ２と通信する。制御部５３は自基地局に係る動作の制御を行う。記憶部５４はデータを格納する。
【００２３】
次に、図５、図６を参照して、第１実施形態に係る通信システム１の動作を説明する。図５、図６は、第１実施形態に係る通信方法の手順を示すシーケンスチャートである。
【００２４】
［正常応答シーケンス］
はじめに図５を参照して正常応答シーケンスを説明する。正常応答シーケンスは、宅内代表Ｄ２Ｄ端末１２に対して、宅内代表Ｄ２Ｄ端末１２の配下にある全ての宅内Ｄ２Ｄ端末１４から処理完了応答信号１０３が返信された場合である。
【００２５】
（ステップＳ１）  緊急報知情報サーバ２が、基地局１０を介して、緊急応答要求メッセージを宅内代表Ｄ２Ｄ端末１２へ送信する。そして、緊急報知情報サーバ２が、処理待機タイマＴ０の動作を開始する。
【００２６】
（ステップＳ２）  宅内代表Ｄ２Ｄ端末１２が、緊急報知情報サーバ２から受信した緊急応答要求メッセージに応じて、基地局１０を介して、受信応答メッセージを緊急報知情報サーバ２へ送信する。緊急報知情報サーバ２は、基地局１０を介して宅内代表Ｄ２Ｄ端末１２からの受信応答メッセージを受信すると、処理待機タイマＴ０の動作を停止し、処理待機タイマＴ１の動作を開始する。
【００２７】
（ステップＳ３）  宅内代表Ｄ２Ｄ端末１２が、緊急報知情報サーバ２から受信した緊急応答要求メッセージを、自己の配下にある全ての宅内Ｄ２Ｄ端末１４（１）、・・・、（Ｎ）へ送信する。そして、宅内代表Ｄ２Ｄ端末１２が、処理待機タイマＴ２の動作を開始する。
【００２８】
（ステップＳ４）  各宅内Ｄ２Ｄ端末１４（１）、・・・、（Ｎ）は、宅内代表Ｄ２Ｄ端末１２から受信した緊急応答要求メッセージに関する緊急処理完了応答メッセージを、宅内代表Ｄ２Ｄ端末１２へ送信する。宅内代表Ｄ２Ｄ端末１２は、自己の配下にある全ての宅内Ｄ２Ｄ端末１４（１）、・・・、（Ｎ）から緊急処理完了応答メッセージを受信すると、処理待機タイマＴ２の動作を停止する。
【００２９】
（ステップＳ５）  宅内代表Ｄ２Ｄ端末１２が、自己の配下にある全ての宅内Ｄ２Ｄ端末１４（１）、・・・、（Ｎ）からの緊急処理完了応答メッセージ及び自己の緊急処理完了応答メッセージを示す緊急処理完了応答メッセージを、基地局１０を介して緊急報知情報サーバ２へ送信する。緊急報知情報サーバ２は、基地局１０を介して宅内代表Ｄ２Ｄ端末１２からの緊急処理完了応答メッセージを受信することにより、全ての宅内代表Ｄ２Ｄ端末１２および宅内Ｄ２Ｄ端末１４から緊急応答要求に対する応答を受信したと判断する。そして、緊急報知情報サーバ２は、処理待機タイマＴ１の動作を停止する。
【００３０】
［非正常応答シーケンス］
次に図６を参照して非正常応答シーケンスを説明する。非正常応答シーケンスは、宅内代表Ｄ２Ｄ端末１２に対して、宅内代表Ｄ２Ｄ端末１２の配下にあるいずれかの宅内Ｄ２Ｄ端末１４から処理完了応答信号１０３が返信されなかった場合である。
【００３１】
ステップＳ１からＳ３までは、正常応答シーケンスに係る図５と同じである。
【００３２】
（ステップＳ４）  各宅内Ｄ２Ｄ端末１４（１）、・・・、（Ｎ）は、宅内代表Ｄ２Ｄ端末１２から受信した緊急応答要求メッセージに関する緊急処理完了応答メッセージを、宅内代表Ｄ２Ｄ端末１２へ送信する。但し、このとき、少なくとも１台の宅内Ｄ２Ｄ端末１４が緊急処理完了応答メッセージを宅内代表Ｄ２Ｄ端末１２へ送信しない。宅内代表Ｄ２Ｄ端末１２は、自己の配下にある全ての宅内Ｄ２Ｄ端末１４（１）、・・・、（Ｎ）から緊急処理完了応答メッセージを受信するか、又は、処理待機タイマＴ２が満了するまで、宅内Ｄ２Ｄ端末１４からの緊急処理完了応答メッセージを待つ。
【００３３】
（ステップＳ１１）  宅内代表Ｄ２Ｄ端末１２は、自己の配下にある全ての宅内Ｄ２Ｄ端末１４（１）、・・・、（Ｎ）から緊急処理完了応答メッセージを受信する前に処理待機タイマＴ２が満了すると、無応答（緊急処理完了応答メッセージの受信なし）の宅内Ｄ２Ｄ端末１４の識別子（端末ＩＤ）を記載した無応答端末ＩＤメッセージを、基地局１０を介して緊急報知情報サーバ２へ送信する。緊急報知情報サーバ２は、基地局１０を介して宅内代表Ｄ２Ｄ端末１２からの無応答端末ＩＤメッセージを受信すると、処理待機タイマＴ１の動作を停止する。
【００３４】
（ステップＳ１２）  緊急報知情報サーバ２は、基地局１０を介して宅内代表Ｄ２Ｄ端末１２から受信した無応答端末ＩＤメッセージに記載される端末ＩＤで示される宅内Ｄ２Ｄ端末１４に対して、個別に、基地局１０を介して緊急応答要求メッセージを送信する。なお、緊急報知情報サーバ２は、該無応答端末ＩＤメッセージに記載される端末ＩＤで示される宅内Ｄ２Ｄ端末１４以外の宅内代表Ｄ２Ｄ端末１２及び宅内Ｄ２Ｄ端末１４については緊急応答要求に対する応答を受信したと判断する。
【００３５】
（ステップＳ１３）  宅内Ｄ２Ｄ端末１４は、基地局１０を介して緊急報知情報サーバ２から受信した緊急応答要求メッセージに関する緊急処理完了応答メッセージを、基地局１０を介して緊急報知情報サーバ２へ送信する。
【００３６】
次に、図７を参照して、第１実施形態に係る緊急報知情報サーバ２の動作を説明する。図７は、第１実施形態に係る情報報知処理の手順を示すフローチャートである。
【００３７】
（ステップＳ１０１）  緊急報知情報サーバ２が、基地局１０を介して、緊急応答要求メッセージを宅内代表Ｄ２Ｄ端末１２へ送信する。
【００３８】
（ステップＳ１０２）  緊急報知情報サーバ２が、処理待機タイマＴ０の動作を開始する。
【００３９】
（ステップＳ１０３）  緊急報知情報サーバ２が、基地局１０を介して宅内代表Ｄ２Ｄ端末１２からの受信応答メッセージを受信したかを判断する。この結果、受信した場合にはステップＳ１０４へ進み、まだ受信していない場合にはステップＳ１０６へ進む。
【００４０】
（ステップＳ１０４）  緊急報知情報サーバ２が、処理待機タイマＴ０の動作を停止し、処理待機タイマＴ１の動作を開始する。
【００４１】
（ステップＳ１０５）  緊急報知情報サーバ２が、処理待機タイマＴ１の満了の前に、基地局１０を介して宅内代表Ｄ２Ｄ端末１２からの緊急処理完了応答メッセージを受信したかを判断する。この結果、受信した場合には図７の処理を終了する。一方、宅内代表Ｄ２Ｄ端末１２からの緊急処理完了応答メッセージを受信する前に処理待機タイマＴ１が満了した場合には、ステップＳ１０７へ進む。
【００４２】
（ステップＳ１０６）  緊急報知情報サーバ２が、処理待機タイマＴ０の満了を判断する。この結果、処理待機タイマＴ０が満了した場合にはステップＳ１０７へ進み、まだ満了していない場合にはステップＳ１０３へ戻る。
【００４３】
（ステップＳ１０７）  緊急報知情報サーバ２が、基地局１０を介して宅内代表Ｄ２Ｄ端末１２から受信した無応答端末ＩＤメッセージに記載される端末ＩＤで示される宅内Ｄ２Ｄ端末１４に対して、個別に、基地局１０を介して緊急応答要求メッセージを送信する。
【００４４】
（ステップＳ１０８）  緊急報知情報サーバ２が、該個別に緊急応答要求メッセージを送信した全ての宅内Ｄ２Ｄ端末１４から、基地局１０を介して緊急処理完了応答メッセージを受信したかを判断する。この結果、該全ての宅内Ｄ２Ｄ端末１４から受信した場合には図７の処理を終了する。一方、そうではない場合にはステップＳ１０７へ戻り、基地局１０を介して宅内代表Ｄ２Ｄ端末１２から受信した無応答端末ＩＤメッセージに記載される端末ＩＤで示される宅内Ｄ２Ｄ端末１４のうち、まだ緊急処理完了応答メッセージを受信していない宅内Ｄ２Ｄ端末１４に対して、個別に、基地局１０を介して緊急応答要求メッセージを送信する。
【００４５】
次に、図８を参照して、第１実施形態に係る宅内代表Ｄ２Ｄ端末１２の動作を説明する。図８は、第１実施形態に係る情報応答処理の手順を示すフローチャートである。宅内代表Ｄ２Ｄ端末１２は、緊急報知情報サーバ２からの緊急応答要求メッセージを受信すると、図８の処理を開始する。
【００４６】
（ステップＳ１２１）  宅内代表Ｄ２Ｄ端末１２が、緊急報知情報サーバ２から受信した緊急応答要求メッセージに応じて、基地局１０を介して、受信応答メッセージを緊急報知情報サーバ２へ送信する。
【００４７】
（ステップＳ１２２）  宅内代表Ｄ２Ｄ端末１２が、緊急報知情報サーバ２から受信した緊急応答要求メッセージを、端末リスト２３１に記載される全ての宅内Ｄ２Ｄ端末１４（つまり、自己の配下にある全ての宅内Ｄ２Ｄ端末１４）へ送信する。
【００４８】
（ステップＳ１２３）  宅内代表Ｄ２Ｄ端末１２が、処理待機タイマＴ２の動作を開始する。
【００４９】
（ステップＳ１２４）  宅内代表Ｄ２Ｄ端末１２が、自己の配下にある全ての宅内Ｄ２Ｄ端末１４から緊急処理完了応答メッセージを受信したかを判断する。この結果、全て受信した場合には図８の処理を終了する。一方、まだ受信していないものがある場合にはステップＳ１２５へ進む。
【００５０】
（ステップＳ１２５）  宅内代表Ｄ２Ｄ端末１２が、無応答（緊急処理完了応答メッセージの受信なし）の宅内Ｄ２Ｄ端末１４に対して、緊急応答要求メッセージを再送信する。
【００５１】
（ステップＳ１２６）  宅内代表Ｄ２Ｄ端末１２が、処理待機タイマＴ２の満了を判断する。この結果、処理待機タイマＴ２が満了した場合にはステップＳ１２７へ進み、まだ満了していない場合にはステップＳ１２４へ戻る。
【００５２】
（ステップＳ１２７）  宅内代表Ｄ２Ｄ端末１２が、無応答の宅内Ｄ２Ｄ端末１４の端末ＩＤを記載した無応答端末ＩＤメッセージを、基地局１０を介して緊急報知情報サーバ２へ送信する。
【００５３】
次に、上述した第１実施形態に係る実施例１〜４を説明する。
【実施例１】
【００５４】
実施例１は、宅内代表Ｄ２Ｄ端末１２、宅内Ｄ２Ｄ端末１４から緊急報知情報サーバ２への応答方法の実施例である。この応答方法として、（１）宅内代表Ｄ２Ｄ端末１２、宅内Ｄ２Ｄ端末１４から基地局１０経由で緊急報知情報サーバ２へ応答する、（２）宅内代表Ｄ２Ｄ端末１２、宅内Ｄ２Ｄ端末１４から光アクセス回線４経由で緊急報知情報サーバ２へ応答する、の二通りの応答方法がある。
【００５５】
実施例１では、基地局１０から送信されるページング信号１０１又はブロードキャスト信号に対して、該応答方法の情報を含める。例えば、該応答方法を指定する情報を、基地局１０から送信されるページング信号１０１又はブロードキャスト信号に含める。又は、該応答方法の種類および優先度を示す情報を、基地局１０から送信されるページング信号１０１又はブロードキャスト信号に含める。
【００５６】
例えば、以下の応答方法情報（２ビット）を基地局１０から送信されるページング信号１０１又はブロードキャスト信号に含めることが挙げられる。
ビット「００」：（１）基地局１０経由でも、（２）光アクセス回線４経由でも、どちらでもよい。
ビット「０１」：（１）基地局１０経由を優先する。
ビット「１０」：（２）光アクセス回線４経由を優先する。
宅内代表Ｄ２Ｄ端末１２は、基地局１０から受信した該応答方法情報（２ビット）を配下の宅内Ｄ２Ｄ端末１４へ送信する。宅内代表Ｄ２Ｄ端末１２及び宅内Ｄ２Ｄ端末１４は、該応答方法情報（２ビット）に基づいて、自己の応答方法を決定する。
【００５７】
また、基地局１０から送信されるページング信号１０１又はブロードキャスト信号に対して、緊急報知情報サーバ２の処理待機タイマＴ１のタイマ時間の情報を含めてもよい。処理待機タイマＴ１のタイマ時間は、緊急報知情報サーバ２における緊急処理完了応答メッセージの受信待ち時間である。宅内代表Ｄ２Ｄ端末１２、宅内Ｄ２Ｄ端末１４は、該受信待ち時間によって、緊急報知情報サーバ２に対する応答の緊急度合いを認識できる。
【実施例２】
【００５８】
実施例２は、宅内代表Ｄ２Ｄ端末１２と宅内Ｄ２Ｄ端末１４の間で行われるＤ２Ｄ通信方法の実施例である。実施例２では、Ｄ２Ｄ通信用の無線リソースを確保しておく。宅内代表Ｄ２Ｄ端末１２は、端末リスト２３１に登録されている宅内Ｄ２Ｄ端末１４との間で、Ｄ２Ｄ通信用の無線リソースを使用して通信する。
【００５９】
例えば、基地局１０との間で使用可能な無線リソースの中からＤ２Ｄ通信用の無線リソースを確保し、Ｄ２Ｄ通信用の無線リソースの中からブロードキャスト信号用またはページング用の無線リソースを予め決めておく。宅内代表Ｄ２Ｄ端末１２は、基地局１０からのページング信号１０１を受信すると、Ｄ２Ｄ通信用の無線リソースのうちブロードキャスト信号用またはページング用の無線リソースを使用して、ページング情報１０２を宅内Ｄ２Ｄ端末１４へ送信する。宅内Ｄ２Ｄ端末１４は、基地局１０からのブロードキャスト信号の受信を予め停止しておく。そして、宅内Ｄ２Ｄ端末１４は、Ｄ２Ｄ通信用の無線リソースにより宅内代表Ｄ２Ｄ端末１２から送信されるページング情報１０２を受信する。
【００６０】
なお、Ｄ２Ｄ通信用の無線リソースの動的割り当てを行う場合、宅内Ｄ２Ｄ端末１４においてブロードキャスト信号用またはページング用の無線リソースの受信タイミングは、Ｄ２Ｄ通信用の無線リソースの割り当てタイミングよりも長い周期としてもよい。
【実施例３】
【００６１】
実施例３は、端末リスト２３１の作成方法の実施例である。実施例３では、宅内代表Ｄ２Ｄ端末１２が、所定周期で宅内Ｄ２Ｄ端末１４に対する応答確認を行い、応答確認できた宅内Ｄ２Ｄ端末１４を端末リスト２３１に登録し、応答確認できなかった宅内Ｄ２Ｄ端末１４を端末リスト２３１から削除する。
【００６２】
また、１台の宅内代表Ｄ２Ｄ端末１２では全ての宅内Ｄ２Ｄ端末１４をサポートできない場合には、複数台の宅内代表Ｄ２Ｄ端末１２を設ける。複数台の宅内代表Ｄ２Ｄ端末１２の各々が、どの宅内Ｄ２Ｄ端末１４を配下にするのか（つまり、どの宅内Ｄ２Ｄ端末１４を自己の端末リスト２３１に登録するのか）を決定する方法として、例えば、以下の配下端末決定方法１，２，３が挙げられる。
（配下端末決定方法１）  利用者等の人が、各宅内代表Ｄ２Ｄ端末１２の配下の宅内Ｄ２Ｄ端末１４を設定する。
（配下端末決定方法２）  複数台の宅内代表Ｄ２Ｄ端末１２の各々が、宅内Ｄ２Ｄ端末１４から受信した信号の受信品質に基づいて、自己の配下とする宅内Ｄ２Ｄ端末１４を決定する。
（配下端末決定方法３）  複数台の宅内代表Ｄ２Ｄ端末１２の各々が、宅内Ｄ２Ｄ端末１４における受信品質に基づいて、自己の配下とする宅内Ｄ２Ｄ端末１４を決定する。
【００６３】
ここで、図９〜図１３を参照して上述の配下端末決定方法３を説明する。図９、図１０は、第１実施形態の配下端末決定方法３に係る宅内代表Ｄ２Ｄ端末１２の処理手順を示すフローチャートである。図１１〜図１３は、第１実施形態の配下端末決定方法３に係る宅内Ｄ２Ｄ端末１４の処理手順を示すフローチャートである。
【００６４】
事前に、宅内代表Ｄ２Ｄ端末１２及び宅内Ｄ２Ｄ端末１４には、以下に示す「preference index」が定義される。
・preference index「１」：処理対象の宅内Ｄ２Ｄ端末１４は、処理対象の宅内代表Ｄ２Ｄ端末１２へのみ接続可能である。
・preference index「２」：処理対象の宅内Ｄ２Ｄ端末１４は、処理対象の宅内代表Ｄ２Ｄ端末１２以外の宅内代表Ｄ２Ｄ端末１２にも接続可能であるが、処理対象の宅内代表Ｄ２Ｄ端末１２への接続が最良の通信品質である。
・preference index「３」：処理対象の宅内Ｄ２Ｄ端末１４は、処理対象の宅内代表Ｄ２Ｄ端末１２以外の宅内代表Ｄ２Ｄ端末１２への接続が最良の通信品質である。
【００６５】
はじめに図９、図１０を参照して、配下端末決定方法３に係る宅内代表Ｄ２Ｄ端末１２の動作を説明する。宅内代表Ｄ２Ｄ端末１２は、所定周期で、図９、図１０の処理を実行する。
【００６６】
（ステップＳ１４１）  宅内代表Ｄ２Ｄ端末１２が、自己の端末リスト２３１を空にする。
【００６７】
（ステップＳ１４２）  宅内代表Ｄ２Ｄ端末１２が、参照信号（reference信号）を宅内Ｄ２Ｄ端末１４に向けて送信する。
【００６８】
（ステップＳ１４３）  宅内代表Ｄ２Ｄ端末１２が、宅内Ｄ２Ｄ端末１４からプリファレンス（preference）情報を受信する。プリファレンス情報はpreference indexを有する。
【００６９】
（ステップＳ１４４）  宅内代表Ｄ２Ｄ端末１２が、受信したプリファレンス情報（受信プリファレンス情報）がpreference index「１」である宅内Ｄ２Ｄ端末１４を端末リスト２３１に追加する。
【００７０】
（ステップＳ１４５）  宅内代表Ｄ２Ｄ端末１２が、端末リスト２３１に既に登録された宅内Ｄ２Ｄ端末１４の数（登録端末数）が所定の許容値Ｍ未満であり、且つ、端末リスト２３１に登録されていない宅内Ｄ２Ｄ端末１４（未登録端末）があるかを判断する。この判断の結果、登録端末数が許容値Ｍ未満であり、且つ、未登録端末がある場合にはステップＳ１４６へ進み、そうではない場合には図１０のステップＳ１４７へ進む。
【００７１】
（ステップＳ１４６）  宅内代表Ｄ２Ｄ端末１２が、受信プリファレンス情報がpreference index「２」である未登録端末のうち、ＣＱＩ（Channel Quality Indication）が最大の未登録端末を端末リスト２３１へ追加する。この後、ステップＳ１４５へ戻る。なお、ＣＱＩは、受信プリファレンス情報に含まれている。
【００７２】
（ステップＳ１４７）  宅内代表Ｄ２Ｄ端末１２が、受信プリファレンス情報がpreference index「２」である未登録端末に対して、プリファレンス情報の変更要求メッセージを送信する。プリファレンス情報の変更要求は、当該要求元の宅内代表Ｄ２Ｄ端末１２を除外してプリファレンス情報を再作成し、再作成したプリファレンス情報を当該要求元の宅内代表Ｄ２Ｄ端末１２以外の宅内代表Ｄ２Ｄ端末１２へ送信するように要求するものである。
【００７３】
（ステップＳ１４８）  宅内代表Ｄ２Ｄ端末１２が、プリファレンス情報の変更要求メッセージを送信してから規定時間内に、未登録端末から再度、プリファレンス情報を受信したかを判断する。この判断の結果、受信した場合にはステップＳ１４９へ進み、そうではない場合にはステップＳ１５１へ進む。
【００７４】
（ステップＳ１４９）  宅内代表Ｄ２Ｄ端末１２が、登録端末数が許容値Ｍ未満であるかを判断する。この判断の結果、登録端末数が許容値Ｍ未満である場合にはステップＳ１５０へ進み、そうではない場合にはステップＳ１５１へ進む。
【００７５】
（ステップＳ１５０）  宅内代表Ｄ２Ｄ端末１２が、プリファレンス情報を再送した未登録端末を端末リスト２３１へ追加する。この後、ステップＳ１４８へ戻る。
【００７６】
（ステップＳ１５１）  宅内代表Ｄ２Ｄ端末１２が、端末リスト２３１に登録されている宅内Ｄ２Ｄ端末１４の情報（端末ＩＤ等）を上位装置である緊急報知情報サーバ２へ通知する。
【００７７】
次に図１１〜図１３を参照して、配下端末決定方法３に係る宅内Ｄ２Ｄ端末１４の動作を説明する。宅内Ｄ２Ｄ端末１４は、所定周期で、図１１〜図１３の処理を実行する。
【００７８】
（ステップＳ１７１）  宅内Ｄ２Ｄ端末１４が、自己の接続可能代表端末リスト２３２を空にする。
【００７９】
次いで、宅内Ｄ２Ｄ端末１４がステップＳ１７２からＳ１７７までを宅内代表Ｄ２Ｄ端末１２ごとに実行する。
【００８０】
（ステップＳ１７２）  宅内Ｄ２Ｄ端末１４が、未選択の宅内代表Ｄ２Ｄ端末１２の中から一つの宅内代表Ｄ２Ｄ端末１２を選択する。選択された宅内代表Ｄ２Ｄ端末１２を対象宅内代表Ｄ２Ｄ端末１２と称する。
【００８１】
（ステップＳ１７３）  宅内Ｄ２Ｄ端末１４が、対象宅内代表Ｄ２Ｄ端末１２からの参照信号を受信する。
【００８２】
（ステップＳ１７４）  宅内Ｄ２Ｄ端末１４が、対象宅内代表Ｄ２Ｄ端末１２から受信した参照信号の受信品質に基づいてＣＱＩを算出する。
【００８３】
（ステップＳ１７５）  宅内Ｄ２Ｄ端末１４が、該算出したＣＱＩが所定の要求値Ｘよりも大きいかを判断する。この判断の結果、大きい場合にはステップＳ１７６へ進み、そうではない場合にはステップＳ１７７へ進む。
【００８４】
（ステップＳ１７６）  宅内Ｄ２Ｄ端末１４が、対象宅内代表Ｄ２Ｄ端末１２を接続可能代表端末リスト２３２に追加する。
【００８５】
（ステップＳ１７７）  未選択の宅内代表Ｄ２Ｄ端末１２がある場合にはステップＳ１７２へ戻る。一方、未選択の宅内代表Ｄ２Ｄ端末１２がない場合には図１２のステップＳ１７８へ進む。
【００８６】
次いで、宅内Ｄ２Ｄ端末１４がステップＳ１７８からＳ１８５までを宅内代表Ｄ２Ｄ端末１２ごとに実行する。
【００８７】
（ステップＳ１７８）  宅内Ｄ２Ｄ端末１４が、未選択の宅内代表Ｄ２Ｄ端末１２の中から一つの宅内代表Ｄ２Ｄ端末１２を選択する。選択された宅内代表Ｄ２Ｄ端末１２を対象宅内代表Ｄ２Ｄ端末１２と称する。
【００８８】
（ステップＳ１７９）  宅内Ｄ２Ｄ端末１４が、対象宅内代表Ｄ２Ｄ端末１２から受信した参照信号の受信品質が最良であるかを判断する。この判断の結果、最良である場合にはステップＳ１８１へ進み、そうではない場合にはステップＳ１８０へ進む。
【００８９】
（ステップＳ１８０）  宅内Ｄ２Ｄ端末１４が、対象宅内代表Ｄ２Ｄ端末１２のpreference indexを「３」とする。この後、ステップＳ１８４へ進む。
【００９０】
（ステップＳ１８１）  宅内Ｄ２Ｄ端末１４が、対象宅内代表Ｄ２Ｄ端末１２のみが接続可能代表端末リスト２３２に登録されているかを判断する。この判断の結果、対象宅内代表Ｄ２Ｄ端末１２のみが接続可能代表端末リスト２３２に登録されている場合にはステップＳ１８３へ進み、そうではない場合にはステップＳ１８２へ進む。
【００９１】
（ステップＳ１８２）  宅内Ｄ２Ｄ端末１４が、対象宅内代表Ｄ２Ｄ端末１２のpreference indexを「２」とする。この後、ステップＳ１８４へ進む。
【００９２】
（ステップＳ１８３）  宅内Ｄ２Ｄ端末１４が、対象宅内代表Ｄ２Ｄ端末１２のpreference indexを「１」とする。この後、ステップＳ１８４へ進む。
【００９３】
（ステップＳ１８４）  宅内Ｄ２Ｄ端末１４が、対象宅内代表Ｄ２Ｄ端末１２に対して、プリファレンス情報を送信する。このプリファレンス情報は、対象宅内代表Ｄ２Ｄ端末１２のpreference indexとＣＱＩを有する。
【００９４】
（ステップＳ１８５）  未選択の宅内代表Ｄ２Ｄ端末１２がある場合にはステップＳ１７８へ戻る。一方、未選択の宅内代表Ｄ２Ｄ端末１２がない場合には図１３のステップＳ１８６へ進む。
【００９５】
（ステップＳ１８６）  宅内Ｄ２Ｄ端末１４が、プリファレンス情報を送信してから規定時間内に、宅内代表Ｄ２Ｄ端末１２からプリファレンス情報の変更要求メッセージを受信したかを判断する。この判断の結果、受信した場合にはステップＳ１８７へ進み、そうではない場合には図１１〜図１３の処理を終了する。
【００９６】
（ステップＳ１８７）  宅内Ｄ２Ｄ端末１４が、該プリファレンス情報の変更要求メッセージの送信元の宅内代表Ｄ２Ｄ端末１２を、接続可能代表端末リスト２３２から削除する。この後、図１２のステップＳ１７８へ戻る。
【実施例４】
【００９７】
実施例４は、宅内代表Ｄ２Ｄ端末１２の決定方法の実施例である。実施例４では、以下に示す選択基準１〜６のいずれか一つ又は複数を使用して、利用者宅３の宅内に在るＤ２Ｄ端末の中から宅内代表Ｄ２Ｄ端末１２を選択する。各Ｄ２Ｄ端末は、該選択基準を使用して、自己が宅内代表Ｄ２Ｄ端末１２になるか否かを決定する。
【００９８】
（選択基準１）  電源装置（例えば、電源コンセントなど）に接続されている（つまり、Ｄ２Ｄ端末の外部から電力が供給されている）こと。
【００９９】
（選択基準２）  光アクセス回線４に接続されていること。
【０１００】
（選択基準３）  基地局１０からの下り信号の受信品質（ＣＱＩ）に基づいて、受信品質がよいと判定されること。
【０１０１】
（選択基準４）  基地局１０からの下り信号の受信品質（ＣＱＩ）が所定の閾値以上であり、且つ、上記選択基準１又は２を満たすこと。
【０１０２】
（選択基準５）  自Ｄ２Ｄ端末（送信元）から他のＤ２Ｄ端末（送信先）へのＤ２Ｄ通信リンクで送信される信号の受信品質が所定の閾値以上となるＤ２Ｄ端末（送信先）の数が所定数以上であること。該受信品質は、他のＤ２Ｄ端末（送信先）から自Ｄ２Ｄ端末（送信元）へ通知してもらう。
【０１０３】
（選択基準６）  自Ｄ２Ｄ端末（送信先）へ他のＤ２Ｄ端末（送信元）からＤ２Ｄ通信リンクで送信される信号の受信品質が所定の閾値以上となるＤ２Ｄ端末（送信元）の数が所定数以上であること。
【０１０４】
上述した第１実施形態によれば、宅内代表Ｄ２Ｄ端末１２が配下の宅内Ｄ２Ｄ端末１４からの応答をまとめて基地局１０へ送信する。これにより、Ｄ２Ｄ端末から基地局１０への応答メッセージ量が削減されるので、基地局１０の負荷が軽減される。この結果として、Ｄ２Ｄ端末に対して緊急報知情報サーバ２から情報を伝達する際の確実性や即時性を実現することに寄与できるという効果が得られる。
【０１０５】
［第２実施形態］
次に本発明に係る一実施形態として第２実施形態を説明する。第２実施形態は、上述した第１実施形態の変形例である。図１４は、本発明の第２実施形態に係る通信システム１の概略構成図である。図１４において、図１の各部に対応する部分には同一の符号を付け、その説明を省略する。第２実施形態では、基地局１０からマルチキャスト信号１２０により宅内代表Ｄ２Ｄ端末１２及び宅内Ｄ２Ｄ端末１４の各々へ情報を送信する点が、第１実施形態と異なる。宅内Ｄ２Ｄ端末１４からの応答は、第１実施形態と同様に、宅内代表Ｄ２Ｄ端末１２がまとめて基地局１０へ送信する。
【０１０６】
図１５は、第２実施形態に係る情報報知処理の手順を示すフローチャートである。図１５を参照して、第２実施形態に係る緊急報知情報サーバ２の動作を説明する。
【０１０７】
（ステップＳ２０１）  緊急報知情報サーバ２が、基地局１０を介して、マルチキャスト信号１２０により宅内代表Ｄ２Ｄ端末１２及び宅内Ｄ２Ｄ端末１４へ緊急応答要求メッセージを送信する。
【０１０８】
（ステップＳ２０２）  緊急報知情報サーバ２が、処理待機タイマＴ０の動作を開始する。
【０１０９】
（ステップＳ２０３）  緊急報知情報サーバ２が、基地局１０を介して宅内代表Ｄ２Ｄ端末１２からの受信応答メッセージを受信したかを判断する。この結果、受信した場合にはステップＳ２０４へ進み、まだ受信していない場合にはステップＳ２０６へ進む。
【０１１０】
（ステップＳ２０４）  緊急報知情報サーバ２が、処理待機タイマＴ０の動作を停止し、処理待機タイマＴ１の動作を開始する。
【０１１１】
（ステップＳ２０５）  緊急報知情報サーバ２が、処理待機タイマＴ１の満了の前に、基地局１０を介して宅内代表Ｄ２Ｄ端末１２からの緊急処理完了応答メッセージを受信したかを判断する。この結果、受信した場合には図１５の処理を終了する。一方、宅内代表Ｄ２Ｄ端末１２からの緊急処理完了応答メッセージを受信する前に処理待機タイマＴ１が満了した場合には、ステップＳ２０７へ進む。
【０１１２】
（ステップＳ２０６）  緊急報知情報サーバ２が、処理待機タイマＴ０の満了を判断する。この結果、処理待機タイマＴ０が満了した場合にはステップＳ２０７へ進み、まだ満了していない場合にはステップＳ２０３へ戻る。
【０１１３】
（ステップＳ２０７）  緊急報知情報サーバ２が、基地局１０を介して宅内代表Ｄ２Ｄ端末１２から受信した無応答端末ＩＤメッセージに記載される端末ＩＤで示される宅内Ｄ２Ｄ端末１４を無応答端末として記録する。
【０１１４】
次に、図１６を参照して、第２実施形態に係る宅内代表Ｄ２Ｄ端末１２の動作を説明する。図１６は、第２実施形態に係る情報応答処理の手順を示すフローチャートである。宅内代表Ｄ２Ｄ端末１２は、緊急報知情報サーバ２からの緊急応答要求メッセージをマルチキャスト信号１２０により受信すると、図１６の処理を開始する。
【０１１５】
（ステップＳ２２１）  宅内代表Ｄ２Ｄ端末１２が、処理待機タイマＴ２の動作を開始する。
【０１１６】
（ステップＳ２２２）  宅内代表Ｄ２Ｄ端末１２が、自己の配下にある全ての宅内Ｄ２Ｄ端末１４から緊急処理完了応答メッセージを受信したかを判断する。この結果、全て受信した場合には図１６の処理を終了する。一方、まだ受信していないものがある場合にはステップＳ２２３へ進む。
【０１１７】
（ステップＳ２２３）  宅内代表Ｄ２Ｄ端末１２が、無応答（緊急処理完了応答メッセージの受信なし）の宅内Ｄ２Ｄ端末１４に対して、緊急報知情報サーバ２からの緊急応答要求メッセージを送信する。
【０１１８】
（ステップＳ２２４）  宅内代表Ｄ２Ｄ端末１２が、処理待機タイマＴ２の満了を判断する。この結果、処理待機タイマＴ２が満了した場合にはステップＳ２２５へ進み、まだ満了していない場合にはステップＳ２２２へ戻る。
【０１１９】
（ステップＳ２２５）  宅内代表Ｄ２Ｄ端末１２が、無応答の宅内Ｄ２Ｄ端末１４の端末ＩＤを記載した無応答端末ＩＤメッセージを、基地局１０を介して緊急報知情報サーバ２へ送信する。
【０１２０】
上述した第２実施形態によれば、第１実施形態と同様に、宅内代表Ｄ２Ｄ端末１２が配下の宅内Ｄ２Ｄ端末１４からの応答をまとめて基地局１０へ送信する。これにより、Ｄ２Ｄ端末から基地局１０への応答メッセージ量が削減されるので、基地局１０の負荷が軽減される。この結果として、Ｄ２Ｄ端末に対して緊急報知情報サーバ２から情報を伝達する際の確実性や即時性を実現することに寄与できるという効果が得られる。
【０１２１】
また、第２実施形態によれば、基地局１０からマルチキャスト信号１２０により宅内代表Ｄ２Ｄ端末１２及び宅内Ｄ２Ｄ端末１４の各々へ情報を送信する。これにより、宅内Ｄ２Ｄ端末１４は宅内代表Ｄ２Ｄ端末１２を経由するよりも早く情報を受信できるので、宅内Ｄ２Ｄ端末１４の処理完了までの時間を短縮できる。
【０１２２】
以上、本発明の実施形態について図面を参照して詳述してきたが、具体的な構成はこの実施形態に限られるものではなく、本発明の要旨を逸脱しない範囲の設計変更等も含まれる。
【０１２３】
例えば、緊急報知情報サーバ２と利用者宅３（宅内のＤ２Ｄ端末）を接続する通信回線としては、基地局１０とは異なる経路で設けられていればよく、上述した実施形態のように光通信回線であってもよく、又は、電気通信回線であってもよく、又は、無線通信回線であってもよい。
【０１２４】
また、宅内代表Ｄ２Ｄ端末１２及び宅内Ｄ２Ｄ端末１４は、基地局１０から受信したメッセージ（例えば、緊急報知情報サーバ２からの緊急応答要求メッセージの内容）を表示部２５の表示画面上に表示してもよい。
【０１２５】
また、上述した通信システム１の各装置の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【０１２６】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【０１２７】
１…通信システム、２…緊急報知情報サーバ装置、３…家（利用者宅）、４…光アクセス回線、１０…基地局装置、１２…宅内代表Ｄ２Ｄ端末装置、１４−１〜３…宅内Ｄ２Ｄ端末装置、２１，５１…無線通信部、２２，５３…制御部、２３，５４…記憶部、２４…操作部、２５…表示部、２６，５２…通信部、２３１…端末リスト、２３２…接続可能代表端末リスト
【図１】
2015220550.tif 000003
【図２】
2015220550.tif 000004
【図３】
2015220550.tif 000005
【図４】
2015220550.tif 000006
【図５】
2015220550.tif 000007
【図６】
2015220550.tif 000008
【図７】
2015220550.tif 000009
【図８】
2015220550.tif 000010
【図９】
2015220550.tif 000011
【図１０】
2015220550.tif 000012
【図１１】
2015220550.tif 000013
【図１２】
2015220550.tif 000014
【図１３】
2015220550.tif 000015
【図１４】
2015220550.tif 000016
【図１５】
2015220550.tif 000017
【図１６】
2015220550.tif 000018